(57)【要約】【課題】ベッド本来の機能を損なうことなく、取扱が簡単で容易にトレーニングを行なうことが可能なトレーニング装置付きベッドを提供する。【解決手段】本発明のトレーニング装置付きベッド１は、マット１４の両サイドに設置され、マット１４の長手方向に延出するサイドレール３１と、サイドレール３１に沿って摺動可能であると共に、マット１４の上方に向けて延出する保持部３５を備えた摺動体３３と、保持部３５に設置され、足の裏面が載置可能な載置プレート３８と、摺動体３３を、サイドレール３１に沿って一方向に付勢する引張ゴム４２とを有する。【選択図】    図１
2007082877.tif 000002
【特許請求の範囲】
【請求項１】
マットの両サイドに設置され、前記マットの長手方向に延出するサイドレールと、
前記サイドレールに沿って摺動可能であると共に、前記マットの上方に向けて延出する保持部を備えた摺動体と、
前記保持部に設置され、足の裏面が載置可能な載置プレートと、
前記摺動体を、前記サイドレールに沿って一方向に付勢する付勢手段と、
を有することを特徴とするトレーニング装置付きベッド。
【請求項２】
前記サイドレールには、長手方向における固定位置が可変される支持部が設置されており、前記付勢手段は、一端が前記支持部に固定され、他端が前記摺動体又は保持部に固定される引張ゴムを有することを特徴とする請求項１に記載のトレーニング装置付きベッド。
【請求項３】
前記サイドレールには、前記摺動体の摺動量を調整可能なストッパが装着されていることを特徴とする請求項１又は２に記載のトレーニング装置付きベッド。
【請求項４】
前記保持部は、前記摺動体に対して着脱可能であることを特徴とする請求項１から３のいずれか１項に記載のトレーニング装置付きベッド。
【請求項５】
前記マットは、回動可能なマット載置部に設置され、少なくとも上半身側が所定の角度に調節可能であることを特徴とする請求項１から４のいずれか１項に記載のトレーニング装置付きベッド。
【請求項６】
前記サイドレールは、ベッドの支持フレームに対して着脱可能であることを特徴とする請求項１から５のいずれか１項に記載のトレーニング装置付きベッド。
【請求項７】
前記載置プレートは、前記保持部に対して移動可能であると共に、着脱可能であることを特徴とする請求項１から６のいずれか１項に記載のトレーニング装置付きベッド。
【請求項８】
ベッドの支持フレームに対して着脱可能なホルダを有する一対のサイドレールと、
前記サイドレールに沿って摺動可能であると共に、ベッドを構成するマットの上方に向けて延出する保持部を備えた摺動体と、
前記保持部に設置され、足の裏面が載置可能な載置プレートと、
前記摺動体を、前記サイドレールに沿って一方向に付勢する付勢手段と、
を有することを特徴とするトレーニング装置。
【発明の詳細な説明】
【技術分野】
【０００１】
本発明は、トレーニング装置が設置されたベッドに関する。
【背景技術】
【０００２】
これからの高齢化社会に伴って、高齢者の筋力トレーニング需要が高まりつつあるが、通常、筋力トレーニングは、トレーニングジム、病院内にあるリハビリ施設のように、専用のトレーニング機器を使用して行なうのが一般的となっており、簡単且つ手軽に行なうことができない。例えば、ベッドに寝ている患者が体力の向上、リハビリなどの目的でトレーニングを行なおうとする場合、ベッドから起き上がって、トレーニング機器が設置されている別の場所に移動する必要があり、不便であると共に、同一の施設内では設置スペースの無駄が生じている。
【０００３】
このような問題を解決するために、例えば、特許文献１には、トレーニング装置を備えたベッドが開示されている。このベッドには、ベッドに寝ている患者の下半身を上方に持ち上げるように駆動するアーム装置が設置されており、ベッドに居ながら、場所を移動することなく、下半身に対してトレーニングが行なえるようになっている。このような構成によれば、ベッドとトレーニング機器が同一スペース上に設置されることから、スペースの効率化が図れると共に、ベッド患者の利便性の向上が図れる。
【特許文献１】特開２００３−５２７６８号
【発明の開示】
【発明が解決しようとする課題】
【０００４】
上記した公知のベッドは、上半身をリクライニングさせるリクライニング装置と下半身に負荷を与えるアーム装置を駆動制御しており、ベッド上の患者に許容値を超える負荷を与えないように制御する構成となっている。
【０００５】
ところが、前記アーム装置は、患者が横たわる下半身部分に設置されることから、現実問題として、マットの構造が複雑化してしまう、寝心地を損なってしまう、就寝時に邪魔になってしまう等の不具合がある。また、マットの下側を中心としてベッドの上方に向けて回動駆動されるアーム装置を設置すると共に、そのアーム装置の駆動原、及び制御装置などを設置する構成であることから、ベッドの構造が大掛かりとなってしまい、重量も重く、取扱が不便となる。さらに、リクライニング装置やアーム装置を駆動制御してトレーニングする構成であることから、気軽にトレーニングすることもできない。
【０００６】
本発明は、上記した問題に着目してなされたものであり、ベッド本来の機能を損なうことなく、取扱が簡単で容易にトレーニングを行なうことが可能なトレーニング装置付きベッドを提供することを目的とする。
【課題を解決するための手段】
【０００７】
上記した目的を達成するために本発明に係るトレーニング装置付きベッドは、マットの両サイドに設置され、前記マットの長手方向に延出するサイドレールと、前記サイドレールに沿って摺動可能であると共に、前記マットの上方に向けて延出する保持部を備えた摺動体と、前記保持部に設置され、足の裏面が載置可能な載置プレートと、前記摺動体を、前記サイドレールに沿って一方向に付勢する付勢手段と、を有することを特徴とする。
【０００８】
上記した構成によれば、ベッドを構成するマットに寝ている患者は、両足を保持部に設けられた載置プレートに載置することで、脚部（下半身）の伸縮運動を行なうことが可能となる。すなわち、摺動体の保持部に設けられる載置プレートは、付勢手段によって一方向に付勢された状態にあるため、載置プレートを、両足によって付勢手段の付勢力に抗して押圧することで、脚部の伸縮運動を行なうことが可能となる。
【０００９】
また、請求項２に係る発明は、前記サイドレールには、長手方向における固定位置が可変される支持部が設置されており、前記付勢手段は、一端が前記支持部に固定され、他端が前記摺動体又は保持部に固定される引張ゴムを有することを特徴とする。
【００１０】
このような構成では、付勢手段を構成する引張ゴムの一端部が、支持部によってサイドレールの任意の位置に固定されることから、載置プレートを介して脚部に作用する負荷を調整することが可能となる。また、このような引張ゴムは、脚部の伸縮トレーニング以外にも、例えば、腕部の伸縮トレーニングに適用することが可能である。
【００１１】
また、請求項３に係る発明は、前記サイドレールには、前記摺動体の摺動量を調整可能なストッパが装着されていることを特徴とする。
【００１２】
このような構成では、摺動体の伸縮ストロークを調整できるため、脚部の伸縮トレーニング時における運動量を調整することが可能となる。
【００１３】
また、請求項４に係る発明では、前記保持部は、前記摺動体に対して着脱可能であることを特徴とする。
【００１４】
このような構成では、マットの上方に延出する保持部を摺動体から取り外すことで、マットの上方に異物が存在しなくなり、通常のベッドと何等変わりなく、就寝を妨げることが防止される。
【００１５】
また、請求項５に係る発明では、前記マットは、回動可能なマット載置部に設置され、少なくとも上半身側が所定の角度に調節可能であることを特徴とする。
【００１６】
このような構成では、マット部分がリクライニング機能を有することから、上半身が寝た状態から起き上がった状態の範囲のいずれかの位置で、上記した脚部の伸縮運動や腕部の伸縮運動が行なえるようになり、トレーニングのバリエーションが広がる。
【００１７】
また、請求項６に係る発明では、前記サイドレールは、ベッドの支持フレームに対して着脱可能であることを特徴とする。
【００１８】
このような構成では、サイドレールを取り外すことで、ベッドからトレーニング装置（トレーニングユニット）を無くすことができ、単なるベッドとして利用することが可能となり、更には、一般的なベッドに対してもオプションとして後付けすることが可能になる。もちろん、上記したサイドレールは、ベッドを構成する支持フレームの一部として構成されていても良い。
【００１９】
また、請求項７に係る発明では、前記載置プレートは、前記保持部に対して移動可能であると共に、着脱可能であることを特徴とする。
【００２０】
このような構成では、載置プレートの位置を変えることで、トレーニング時における負荷を調整したり、トレーニング内容を変えることができるようになる。また、トレーニング装置を、より細かく分解することが可能となって取扱性が向上する。
【００２１】
また、本発明は、請求項８に記載されているように、ベッドの支持フレームに対して着脱可能なホルダを有する一対のサイドレールと、前記サイドレールに沿って摺動可能であると共に、ベッドを構成するマットの上方に向けて延出する保持部を備えた摺動体と、前記保持部に設置され、足の裏面が載置可能な載置プレートと、前記摺動体を、前記サイドレールに沿って一方向に付勢する付勢手段と、を有するトレーニング装置を提供する。
【００２２】
このようなトレーニング装置は、一般的なベッドに装着することにより、単なるベッドを、そのままトレーニング装置として兼用することが可能になる。
【発明の効果】
【００２３】
本発明によれば、ベッド本来の機能を損なうことなく、取扱が簡単で容易にトレーニングを行なうことが可能なトレーニング装置付きベッドが得られる。
【発明を実施するための最良の形態】
【００２４】
図１から図４は、本発明に係るトレーニング装置付きベッドの一実施形態を示す図であり、図１は全体構成を示す斜視図、図２は平面図、図３は側面図、そして、図４は頭部側から見た正面図である。
【００２５】
これらの図に示すように、トレーニング装置付きベッド１は、一般的な構成のベッド５の脚部側端部に、脚部や腕部のトレーニングが行なえるトレーニング装置（トレーニングユニット）３０を装着して構成されている。
【００２６】
前記ベッド５は、床などの設置面に対して支持脚７を介して設置される支持フレーム１０と、支持フレーム１０に設けられるマット載置部１２と、マット載置部１２上に載置され、患者が横たわるマット１４とを備えて構成されている。この場合、前記支持脚７は、キャスター機能を備えて支持フレーム１０を移動可能に支持するものであっても良い。また、支持フレーム１０には、マット１４の両端側に、必要に応じて頭部側プレート１６及び脚部側プレート１７が設置されている。
【００２７】
前記支持フレーム１０の構造は、上記したマット載置部１２を安定して支持できるのであれば特別な構造に限定されることはない。この場合、後述する図６から図９に示されるように、ベッドとしての付加価値を高めると共に、後述するようなトレーニングが実施できるように、マット載置部１２を回動可能にするリクライニング機構を設けておくことが好ましい。すなわち、マット載置部１２を支持フレーム１０に対して、水平状態から垂直状態（０°から略９０°）に亘って回動可能に支持しておき、マット１４上の患者を、寝ている状態から上半身が起き上がった状態の間の任意の位置で調節可能にすることが好ましい。なお、このようなマット載置部１２のリクライニング機構は、公知であるためその具体的な構成については省略するが、リクライニング動作は、手動で行なうようにしても良いし、モータ等の駆動手段を介して自動で行なうようにしても良い。
【００２８】
前記支持フレーム１０には、トレーニング装置３０を構成するサイドレール３１が装着されるようになっている。このサイドレール３１は、マット１４の両サイドにおいて、長手方向に沿って延出しており、夫々摺動体３３が、サイドレールに沿って摺動可能に装着されている。この摺動体３３は、本実施形態においては、サイドレール３１を囲繞するように筒状に構成されており、摺動体３３の摺動がスムーズに行われるように、サイドレールと摺動体との間に転がり部材等（図示せず）を配設しておくことが好ましい。
【００２９】
前記摺動体３３には、ベッド１０のマット１４の上方に向けて延出するように、略コの字型の保持部（横架フレーム）３５が取り付けられている。すなわち、この保持部３５は、摺動体３３部分から垂直方向に延出する支柱３５ａと、各支柱３５間に掛け渡される横フレーム３５ｂとを備えて構成されている。なお、この保持部は、後述するように、マット１４の上方で載置プレート３８を保持する機能を備えたものであれば良く、図に示すように、マット上に横架されるような構成であっても良いし、両サイドからマット中央に向けて張り出すような構成であっても良い。
【００３０】
また、前記保持部３５は、摺動体３３と共に一体形成されていても良いが、支柱部分を摺動体から取り外しできるように構成しておくことが好ましい。すなわち、例えば、支柱３５ａに着脱用のノブ３７を設けておき、ノブ３７を回転操作することで、支柱３５ａ及び横フレーム３５ｂを、摺動体３３から着脱可能にしておくことが好ましい。さらに、支柱３５ａ及び横フレーム３５ｂについても、相互に着脱可能に構成しておくことが好ましい。
【００３１】
前記保持部３５を構成する横フレーム３５ｂには、マット１４上の患者の両足の裏面が載置可能な載置プレート３８が取り付けられている。この載置プレート３８は、横フレーム３５ｂに対して移動可能であると共に、着脱可能に構成されていることが好ましい。具体的には、横フレーム３５ｂの軸心回りに回動可能であると共に、軸方向に摺動できるように構成されていることが好ましい。また、載置プレート３８は、図に示すように、両足を載置するのではなく、各足に対応して２枚設置するような構成であっても良い。
【００３２】
前記各サイドレール３１に装着された摺動体３３（保持部３５）は、付勢手段４０によって、サイドレールに沿って一方向（頭部側）に付勢されるようになっている。この付勢手段４０は、本実施形態の構成では、引張ゴム４２によって構成されており、その一端がサイドレール３１に固定される支持部４５のフック４５ａに取り付けられており、他端が保持部３５の横フレーム３５ｂに取り付けられている。この場合、支持部４５は、サイドレール３１に設けられた位置変更手段４６によって、その固定位置が軸方向に可変となるように構成されている。
【００３３】
なお、位置変更手段４６は、例えば、サイドレール３１に、軸方向に沿って多数の固定孔３１ａを形成しておき、この固定孔３１ａのいずれかに、前記支持部４５に装着されたノブ４５ｂを差し込むことで構成することが可能である。このように、位置変更手段４６によって支持部４５の固定位置を変えることにより、引張ゴム４２の負荷を調整することが可能になる。
【００３４】
また、前記サイドレール３１には、摺動体３３の摺動量を調整可能なストッパ４８が装着されている。このストッパ４８は、ノブ４８ａを前記固定孔３１ａのいずれかに差し込むことで、その位置を変更することが可能となっており、これにより、摺動体３３の摺動時における当接位置（停止位置）を変更して、摺動体の移動ストローク（伸縮ストローク）を調整することが可能となる。
【００３５】
上記したように構成されるトレーニング装置３０は、図５に示すように、ベッド５から取り外しができるように単一のユニットとして構成しておいても良い。すなわち、サイドレール３１部分に、ベッドの支持フレーム１０に係合固定されるホルダ３１ｂを形成しておき、ベッド５の支持フレーム１０に対して、このホルダ３１ｂを係合させることでトレーニング装置３０を着脱可能にしておいても良い。
【００３６】
或いは、上記したサイドレール３１は、ベッド５の支持フレーム１０の一部として構成しておいても良く、トレーニング装置３０を、ベッド５に一体化した構成にしても良い。
【００３７】
以上のような構成のトレーニング装置付きベッドによって実施可能なトレーニングの一例について説明する。
【００３８】
図６及び図７に示すように、マット１４をリクライニング機構によってある程度の角度まで起こし、マット１４に座った状態で両足を載置プレート３８に載置する。このとき、載置プレート３８には、付勢手段４０を構成する引張ゴム４２によって、患者側に向かう負荷が作用しており、載置プレート３８は、摺動体３３がストッパ４８に当接した位置で停止した状態となる。患者は、図７に示す状態から、両足を引張ゴム４２の付勢力に抗して図６に示すように伸ばすことにより、脚部の伸縮トレーニングを行なうことができる。この場合、トレーニング時における負荷は、支持部４５のサイドレール３１に対する固定位置を変えることで調整することができ、また、脚部を伸縮するストロークについては、ストッパ４８のサイドレール３１に対する固定位置を変えることで調整することが可能である。
【００３９】
また、上述したように、載置プレート３８を横フレーム３５ｂに移動可能に取り付けておくことで、足首部分についてもトレーニングすることが可能となる。
【００４０】
図８及び図９に示すように、引張ゴム４２をそのまま利用するか、或いは、別途引張用のゴム紐４２ａを取り付ける等して、腕部の伸縮トレーニングを行なうことができる。このとき、保持部３５については、摺動体３３をストッパ４８に当て付けた状態にして固定しておいても良いし、ストッパ４８の位置を変えて、摺動体３３を摺動可能にしておき、上記の脚部の伸縮運動と複合したトレーニングを行なうようにしても良い。
【００４１】
なお、上記したトレーニングは、その一例を述べたまでであり、上記したトレーニング装置３０を利用して様々なトレーニングを行なうことが可能である。例えば、マット１４を水平状態にして上記したようなトレーニングを行なっても良いし、うつ伏せになって、脚部や腕部の伸縮運動を行なう等、様々なトレーニングを行なうことが可能である。
【００４２】
上記したようなトレーニング装置付きベッドによれば、ベッドにトレーニング装置を設置しているため、普段、ベッドに寝ている患者であっても、場所を移動することなく、そのまま手軽にトレーニングを行なうことができる。また、ベッド上にトレーニング装置が設置されることから、トレーニング装置を設置するための新たなスペースを設ける必要がなくなる。
【００４３】
また、上記したトレーニング装置３０は、主にマット１４の両サイドにサイドレール３１を設置すると共に、サイドレール３１に保持部３５を有する摺動体３３を設置するだけであるため、構造が簡単であると共に、重量も軽くなり、取扱が容易になる。すなわち、従来技術のように、駆動モータ等の駆動源を設置したり、制御手段を設置するような複雑な構成ではないため、軽量化が図れると共に、取扱が容易となる。また、トレーニングに際しては、ウェイト（金属の錘）等を使用しないため、軽量且つ安全で、取扱も容易となり、在宅向けに適した構造となる。
【００４４】
また、前記保持部３５については、就寝スペースを大きく妨げるものではないため、就寝時において邪魔になるようなこともない。もちろん、保持部３５を摺動体３３に対して着脱可能にすることで、通常のベッドと全く変わりの無い就寝スペースを確保することも可能となる。
【００４５】
さらに、トレーニング装置３０については、単独で運搬等することが可能であり、取扱が容易に行なえると共に、通常のベッドに対しても着脱できるように構成することも可能となる。特に、保持部３５の構成部材（支柱３５ａ、横フレーム３５ｂ、載置プレート３８等）を相互に分解可能に構成することで、取扱性をより向上することが可能となる。
【００４６】
以上、本発明の実施形態について説明したが、本発明は、上記した実施形態に限定されることはなく、種々変形することが可能である。例えば、上記した付勢手段については、上記した引張ゴム以外にも、例えば、サイドレール内にエアシリンダ、油圧シリンダ、付勢バネを設置することで構成しても良い。また、マットのリクライニング機構は、上半身領域の回動のみならず、下半身部分も回動できるように構成されていても良い。さらに、負荷や運動量を調整するための手段については、適宜変形することが可能である。
【図面の簡単な説明】
【００４７】
【図１】トレーニング装置付きベッドの一実施形態を示す斜視図。
【図２】トレーニング装置付きベッドの平面図。
【図３】トレーニング装置付きベッドの側面図。
【図４】トレーニング装置付きベッドの頭部側から見た正面図。
【図５】ベッドから取り外された状態を示すトレーニング装置の斜視図。
【図６】トレーニング装置付きベッドで行なわれるトレーニング例を示す図であり、脚部の伸縮トレーニングを説明する側面図。
【図７】トレーニング装置付きベッドで行なわれるトレーニング例を示す図であり、脚部の伸縮トレーニングを説明する斜視図。
【図８】トレーニング装置付きベッドで行なわれるトレーニング例を示す図であり、腕部の伸縮トレーニングを説明する側面図。
【図９】トレーニング装置付きベッドで行なわれるトレーニング例を示す図であり、腕部の伸縮トレーニングを説明する斜視図。
【符号の説明】
【００４８】
１  トレーニング装置付きベッド
５  ベッド
１０  支持フレーム
１４  マット
３０  トレーニング装置
３１  サイドレール
３３  摺動体
３５  保持部
３８  載置プレート
４０  付勢手段
４２  引張ゴム
４２ａ  引張紐
４５  支持部
４８  ストッパ
【図１】
2007082877.tif 000003
【図２】
2007082877.tif 000004
【図３】
2007082877.tif 000005
【図４】
2007082877.tif 000006
【図５】
2007082877.tif 000007
【図６】
2007082877.tif 000008
【図７】
2007082877.tif 000009
【図８】
2007082877.tif 000010
【図９】
2007082877.tif 000011